(57)【要約】【課題】筆圧で筆記先端が撓っても芯が折れにくく、横方向へは撓りにくくすることでしなやかで力強い筆記を可能にし、寝かせ描きをしても芯を折れにくくして、描線の幅も自由に調節可能とする。【解決手段】軸筒11に収納されるシャープペンシルユニット20と、軸筒11とシャープペンシルユニット20との間に介装される屈曲部材30とを備え、屈曲部材30は、軸筒11の内部に位置する後方部31、軸筒11の先端から一部が露出する前方部32及び後方部31と前方部32とを２箇所で連結する連結部34を備え、後方部31はシャープペンシルユニット20の芯収容管21が貫通する略筒状を呈しつつ軸筒11の内周面に密着し、前方部32はシャープペンシルユニット20の芯操出機構22の先端側を内部に保持しつつ、軸筒11の内周面とは間隙を有し、連結部34は、シャープペンシルユニット20の両側面に位置する。【選択図】図７
2019064178.tif 000002
【特許請求の範囲】
【請求項１】
軸筒と、
前記軸筒に収納されるシャープペンシルユニットと、
前記軸筒の内周面と前記シャープペンシルユニットとの間に介装される屈曲部材と、を備えたシャープペンシルであって、
通常の筆記時に筆記面側を向く側を背面、及び、その反対方向を向く側を正面と定義したときに、
前記シャープペンシルユニットは、芯を収容する芯収容管と、前記芯収容管に収容される芯を先端へ繰り出す芯操出機構と、前記芯操出機構から繰り出された芯が貫通する芯パイプと、を備え、
前記屈曲部材は、前記軸筒の内部に位置する後方部、前記軸筒の先端から一部が露出する前方部、及び、前記後方部と前記前方部とを２箇所で連結する連結部を備え、
前記後方部は、前記芯収容管が貫通する略筒状を呈するとともに前記軸筒の内周面に密着し、
前記前方部は、前記芯操出機構の先端側を内部に保持し、前記芯パイプが先端から突出するとともに、前記軸筒の内周面とは間隙を有し、
前記連結部は、前記シャープペンシルユニットの両側面に位置することによって
前記シャープペンシルユニットは、筆圧により、前記連結部が正面方向に撓むことで、正面方向に移動することを特徴とする、シャープペンシル。
【請求項２】
前記後方部において前記芯収容管が貫通する内部空間は、左右側面方向の径は該芯収容管の外径と略同一であるとともに、正面−背面方向の径が、該芯収容管の外径より大であることを特徴とする請求項１記載のシャープペンシル。
【請求項３】
前記前方部の先端側は、先細に形成されているとともに、背面側が凹曲面として形成されていることを特徴とする請求項１又は２記載のシャープペンシル。
【請求項４】
前記前方部と前記軸筒の内周面との間の前記間隙に介装され、前記軸筒の内周面とは密着し、前記前方部の外周面に対しては遊嵌される口金部材をさらに備えるとともに、
前記口金部材は、
前記前方部の外周面を取り囲む略筒状の筒状部と、
前記筒状部の正面側の先端縁から、外方に凸な弧状をもって先端方向へ先細に突出し、先端は前記芯パイプの正面側の曲面を保持する弧状凹部として形成されている正面部と、
前記筒状部の背面側の先端縁から、対をなして先端方向へ先細に突出し、先端は前記前方部の背面側を支持する背面部と、
を有することで、前記シャープペンシルユニットの正面方向への移動を誘導することを特徴とする請求項１、２又は３記載のシャープペンシル。
【請求項５】
前記芯パイプの先端背面側が斜めに削ぎ落とされた形状となっていることを特徴とする請求項１、２、３又は４記載のシャープペンシル。
【発明の詳細な説明】
【技術分野】
【０００１】
本発明は、シャープペンシルに関する。
【背景技術】
【０００２】
従来のシャープペンシルは、文字の筆記を想定して構成されており、たとえば鉛筆を寝かせて描画するような、スケッチや塗り絵のような用途には不向きであった。これは、シャープペンシル先端の芯パイプの先端は長手方向に対して直角に形成されているため、そこから突出する芯が、寝かせ描きの際に紙面から受ける筆圧の方向がその芯パイプの先端に対し平行に近くなり、結果として芯パイプの先端が支点となって芯が折れやすくなっているからである。
【０００３】
ここで、下記特許文献１には、リフィルの適切な曲がりを確保して書き味の向上を図るために、筆記時において筆記荷重によりリフィルの前方側が軸筒内面と当接し、かつ、リフィルの中心軸が軸筒の中心軸からずれるようにした筆記具が開示されている。
【０００４】
また、下記特許文献２には、筆軸を低く傾けても筆記が可能なように、筆記具のペン先のパイプの先端に切欠部を設けることが開示されている。
【先行技術文献】
【特許文献】
【０００５】
【特許文献１】ＷＯ  ２１４／１６８１９５  Ａ１
【特許文献２】実開平６−７９５８７号公報
【発明の概要】
【発明が解決しようとする課題】
【０００６】
本発明は、筆圧によって筆記先端が撓っても中の芯は折れにくくするとともに、横方向へは撓りにくくすることで、しなやかで力強い筆記を可能にし、さらに、寝かせ描きをした場合にも芯を折れにくくして、描線の幅も自由に調節可能なシャープペンシルを提供することを課題とする。
【課題を解決するための手段】
【０００７】
（１）第１の態様
上記課題を解決すべく、本発明の第１の態様に係るシャープペンシル10は、
軸筒11と、
前記軸筒11に収納されるシャープペンシルユニット20と、
前記軸筒11の内周面と前記シャープペンシルユニット20との間に介装される屈曲部材30と、を備えるとともに、
通常の筆記時に筆記面側を向く側を背面、及び、その反対方向を向く側を正面と定義したときに、
前記シャープペンシルユニット20は、芯15を収容する芯収容管21と、前記芯収容管21に収容される芯15を先端へ繰り出す芯操出機構22と、前記芯操出機構22から繰り出された芯15が貫通する芯パイプ23と、を備え、
前記屈曲部材30は、前記軸筒11の内部に位置する後方部31、前記軸筒11の先端から一部が露出する前方部32、及び、前記後方部31と前記前方部32とを２箇所で連結する連結部34を備え、
前記後方部31は、前記芯収容管21が貫通する略筒状を呈するとともに前記軸筒11の内周面に密着し、
前記前方部32は、前記芯操出機構22の先端側を内部に保持し、前記芯パイプ23が先端から突出するとともに、前記軸筒11の内周面とは間隙を有し、
前記連結部34は、前記シャープペンシルユニット20の両側面に位置することによって、
前記シャープペンシルユニット20は、筆圧により、前記連結部34が正面方向に撓むことで、正面方向に移動することを特徴とする。
【０００８】
ここで、本発明における「通常の筆記時」とは、シャープペンシル10を筆記面に対し、垂直ではなく、斜めに構えた状態で保持されて筆記されている状態をいう。この通常の筆記時において、本件発明に係るシャープペンシル10は、たとえば万年筆のように、筆記面に相対する方向性が定められている。すなわち、筆記面を向く側、換言すると筆記時において下側を向く面が「背面」と定義され、その反対側、換言すると筆記時において上側を生む面を「正面」と定義される。これに伴い必然的に、この「正面」及び「背面」に対し９０°の位置にある側が「右側面」あるいは「左側面」（これらの左右方向に特に言及する必要のない場合には単に「側面」とすることもあり、また、これらを合わせて「両側面」とすることもある。）と定義される。
【０００９】
前記屈曲部材30は、前記後方部31及び前記前方部32がそれぞれ前記シャープペンシルユニット20の一部を内部に収容する。そして、一対の前記連結部34がそれぞれ前記シャープペンシルユニット20の側面で前記後方部31及び前記前方部32を連結する。前記後方部31は前記軸筒11の内周面に密着することで該軸筒11に対して固定されつつ、前記シャープペンシルユニット20を内部空間37に貫通させている。一方、前記前方部32の周囲には前記軸筒11の内周面との間の間隙が存在している。以上より、前記前方部32は正面方向に揺動可能となっている。
【００１０】
このとき、両連結部34を通る仮想断面が、正面−背面方向の仮想断面に対し垂直になる。両連結部34がこのように前記シャープペンシルユニット20の両側面に位置していることで、前記前方部32の揺動方向は、左右側面方向ではなく、正面−背面方向となる。
【００１１】
ここで、本発明で言及される「略筒状」の意義は、細部に凹凸等の形状があったとしても全体として筒状と捉えることのできる形状をいい、幾何学的に厳密な「筒状」である必要はないという趣旨である。
【００１２】
上記したように、前記連結部34が前記シャープペンシルユニット20の両側面に位置することで、該シャープペンシルユニット20が筆圧により正面方向へ移動することとなっている。そしてその筆圧が解かれたときには該シャープペンシルユニット20は背面方向へ復元することとなる。
【００１３】
このように、前記屈曲部材30の前記連結部34が前記シャープペンシルユニット20の両側面に位置することで、筆圧を受けた際、前記シャープペンシルユニット20が正面方向に押圧され、それにより前記連結部34が正面方向に屈曲する。その際、前記後方部31は軸筒11に対して動かずに、前記前方部32は前記間隙の分だけ正面方向に揺動する。この前記連結部34の屈曲によって、筆記先端が撓るような筆記感がもたらされる。しかしながら、前記シャープペンシルユニット20そのものは先端が揺動するだけで撓るわけではないので、中の芯15が折れることはない。
【００１４】
さらに、筆記先端が撓るような筆記感は、両連結部34を結ぶ方向に対して垂直な方向（すなわち、正面方向）に限定して生ずることとなるので、この筆記感が、筆記時に正面方向を上向きにして把持されるように誘導することともなっている。
【００１５】
（２）第２の態様
本発明の第２の態様は、上記第１の態様の特徴に加え、前記後方部31において前記芯収容管21が貫通する内部空間37は、左右側面方向の径は該芯収容管21の外径と略同一であるとともに、正面−背面方向の径が、該芯収容管21の外径より大であることを特徴とする。
【００１６】
ここで、「正面−背面方向」とは、前記第１の態様において前記前方部32が屈曲する方向をいい、「左右側面方向」とはそれに直交する方向をいう。
【００１７】
すなわち、前記後方部31の内部空間の左右側面方向の径は前記芯収容管21の幅と略同一、すなわち、該芯収容管21が摺接可能となる程度の長さであるから、該芯収容管21が筆圧によって左右側面方向に移動することが妨げられている。
【００１８】
一方、前記後方部31の内部空間37の正面−背面方向の径は前記芯収容管21の径より大きいことによって、該芯収容管21は筆圧によってこの正面−背面方向の径の範囲内で移動可能となっている。
【００１９】
上記構成により、前記後方部31の内部空間37も、筆圧によって筆記先端が正面方向へ撓る動きを誘導していることになる。
【００２０】
（２）第３の態様
本発明の第３の態様は、上記第１又は第２の態様の特徴に加え、前記前方部32の先端側は、先細に形成されているとともに、背面側が凹曲面33として形成されていることを特徴とする。
【００２１】
すなわち前方部32の背面側が万年筆のように凹曲面33として形成されていることで、筆記時の把持方向が明確となり、前記連結部34の撓みに伴う筆記先端が撓るような筆記感を生じるように把持させることが容易となる。
【００２２】
（４）第４の態様
本発明の第４の態様は、上記第１、第２又は第３の態様の特徴に加え、
前記前方部32と前記軸筒11の内周面との間の前記間隙に介装され、前記軸筒11の内周面とは密着し、前記前方部32の外周面に対しては遊嵌される口金部材40をさらに備えるとともに、
前記口金部材40は、
前記前方部32の外周面を取り囲む略筒状の筒状部41と、
前記筒状部41の正面側の先端縁から、外方に凸な弧状をもって先端方向へ先細に突出し、先端は前記芯パイプ23の正面側の曲面を保持する弧状凹部43として形成されている正面部42と、
前記筒状部41の背面側の先端縁から、対をなして先端方向へ先細に突出し、先端は前記前方部32の背面側を支持する背面部44と、
を有することで、前記シャープペンシルユニット20の正面方向への移動を誘導することを特徴とする。
【００２３】
この口金部材40は、前記正面部42が先端の弧状凹部43で芯パイプ23を保持するとともに、前記背面部44は前記前方部32の背面側、すなわち前記正面部42の先端よりも後方寄りの位置の２箇所を支持している。これにより、前記屈曲部材30による前記シャープペンシルユニット20の正面方向の移動の方向付けを補助するとともに、側面方向への移動を阻止している。さらに、この正面部42そのものの弾性で前記シャープペンシルユニット20の正面方向への移動の際にサスペンション効果を生じさせることともなっている。
【００２４】
（５）第５の態様
本発明の第５の態様は、前記第１、第２、第３又は第４の態様の特徴に加え、前記芯パイプ23の先端背面側が斜めに削ぎ落とされた形状となっていることを特徴とする。
【００２５】
この形状により、シャープペンシル10を寝かせ書きした場合であっても、芯15が筆記面に対し面接触することが可能となり、太い描線での筆記や、面を塗るような描画も可能となる。さらに、芯15と筆記面との接触部分の直上に芯パイプ23が覆い被さるようになって芯15を保持しているため、芯折れが生じにくいという利点もある。
【発明の効果】
【００２６】
本発明は上記のように構成されているので、筆圧によって筆記先端が撓っても中の芯は折れにくくするとともに、横方向へは撓りにくくすることで、しなやかで力強い筆記を可能にし、さらに、寝かせ描きをした場合にも芯を折れにくくして、描線の幅も自由に調節可能なシャープペンシルを提供することが可能となる。
【図面の簡単な説明】
【００２７】
【図１】本発明の実施の形態に係るシャープペンシルを正面側斜視図にて示す。
【図２】図１の状態から軸筒及び口金部材を断面にした状態を正面側斜視図にて示す。
【図３】図１の状態から軸筒を除いた状態を正面側斜視図にて示す。
【図４】本発明の実施の形態に係るシャープペンシルに用いられる屈曲部材を、（Ａ）正面図、（Ｂ）右側面図、（Ｃ）背面図、（Ｄ）底面図、（Ｅ）平面図及び（Ｆ）正面側斜視図にて示す。
【図５】本発明の実施の形態に係るシャープペンシルに用いられる口金部材を、（Ａ）正面図、（Ｂ）右側面図、（Ｃ）背面図、（Ｄ）底面図、（Ｅ）平面図及び（Ｆ）正面側斜視図にて示す。
【図６】本発明の実施の形態に係るシャープペンシルに用いられる芯パイプを、（Ａ）正面図、（Ｂ）右側面図、（Ｃ）背面図、（Ｄ）底面図、（Ｅ）平面図及び（Ｆ）背面側斜視図にて示す。
【図７】本発明の実施の形態に係るシャープペンシルについて、（Ａ）筆圧がかかっていない状態及び（Ｂ）筆圧がかかっている状態を、いずれも軸筒及び口金部材を断面にした側面図にて示す。
【発明を実施するための形態】
【００２８】
以下、本発明の実施の形態を図面を参照しつつ説明する。なお、以下の説明にて前方とは筆記先端の位置する方向をいい、後方とはその反対方向をいう。
【００２９】
本発明の実施の形態に係るシャープペンシル10は図１に斜視図で示すような外観を呈する。具体的には、真鍮若しくはステンレス等の金属、又は、ＡＢＳ樹脂、ポリプロピレン樹脂、ポリエチレン樹脂、ポリアセタール樹脂若しくはポリカーボネイト樹脂等の一般的に射出成形で使用される合成樹脂を材質とする軸筒11の前方部分には、シリコン樹脂又は熱可塑性エラストマーを材質とするグリップ部12が設けられている。また、軸筒11の先端からは口金部材40及び屈曲部材30の前方部32が突出している。さらに、この前方部32の先端からはシャープペンシルユニット20の一部である芯パイプ23が突出しており、ここから芯15が繰り出される。一方、軸筒11の後端からはシャープペンシルユニット20の一部であるノックボタン25が突出している。
【００３０】
図２は、図１の状態から軸筒11及び口金部材40を断面にした状態を正面側斜視図にて示したものである。軸筒11の内部には、真鍮製の芯収容管21と、その先端に設けられる芯操出機構22と、その先端に設けられるステンレス鋼製の芯パイプ23と、芯収容管21の後端に設けられるノックボタン25とを有するシャープペンシルユニット20が収容される。一方、後方部31と、前方部32と、これら後方部31及び前方部32を２箇所（図２中では１箇所のみが視認される）で連結する連結部34とを有する屈曲部材30も軸筒11のうちグリップ部12が設けられている部分の内部に収容されている。ただし、前方部32の先端部分は軸筒11の先端から突出している。口金部材40は、前方部32と軸筒11の内周面との間の間隙に介装され、軸筒11の内周面とは密着し、前方部32の外周面に対しては遊嵌されている。
【００３１】
図３は、図１の状態から軸筒11を除いた状態を正面側斜視図にて示したものである。シャープペンシルユニット20は、屈曲部材30を貫通している。具体的には、後方部31の内部空間37を芯収容管21が貫通し、前方部32の内部空間36（図４（Ｅ）参照）に芯操出機構22の前方部分が挿入され、前方部32の先端開口35（図４（Ｆ）参照）から芯パイプ23が突出している。また、後方部31と前方部32とは一対の連結部34で連結されている。この一対の連結部34はシャープペンシルユニット20の左右側に位置している。
【００３２】
図４は、屈曲部材30を、（Ａ）正面図、（Ｂ）右側面図、（Ｃ）背面図、（Ｄ）底面図、（Ｅ）平面図及び（Ｆ）正面側斜視図にて示したものである。屈曲部材30は、これまで述べたように、略円柱状の後方部31と、先細に形成された略円柱状の前方部32とが、一対の連結部34で連結された形状を呈しており、ＡＢＳ樹脂、ポリプロピレン樹脂、ポリエチレン樹脂、ポリアセタール樹脂又はポリカーボネイト樹等の一般的に射出成形で使用される合成樹脂の射出成形により形成される。また、前方部32の背面側は凹曲面33となっている（図４（Ｂ）、（Ｃ）、（Ｄ）及び（Ｆ）参照）。
【００３３】
前方部32の先端には、芯パイプ23が貫通する先端開口35が設けられている（図４（Ｄ）、（Ｆ））。また、前方部32の略円筒状の部分の内部空間36（図４（Ｅ）参照）は、収容される芯操出機構22の外径と略同一の内径となっており、この内部空間36に収容される芯操出機構22はこの内部空間36の中で動くことはない。還元すると、後述するように前方部32が正面方向に移動する際には、収容される芯操出機構22の先端部分も一緒に正面方向へ移動することとなっている。
【００３４】
後方部31の内部空間37の、側面と側面とを結ぶ方向（以下、「左右方向」と称する）の幅は、収容される芯収容管21の外径とほぼ同一となっているが、正面と背面とを結ぶ方向（以下、「上下方向」と称する）の高さは収容される芯収容管21の外径よりも長くなっている（図４（Ｅ）参照）。この内部空間37の形状により、収容される芯収容管21は、筆圧を受けても、左右方向は内部空間37と摺接しておりそれ以上に動くことはないが、上下方向には動けるようになっている。この後方部31の外周面は、軸筒11の内周面と密着しており、これにより後方部31は軸筒11の内部で動くことはない（図２参照）。
【００３５】
また、連結部34の左右方向の幅は上下方向の高さより長く形成されている（図４（Ａ）、（Ｂ）、（Ｃ）及び（Ｆ）参照）。この形状により、連結部34は上下方向には屈曲しやすいが、左右方向には屈曲しにくくなっている。
【００３６】
図５は、口金部材40を、（Ａ）正面図、（Ｂ）右側面図、（Ｃ）背面図、（Ｄ）底面図、（Ｅ）平面図及び（Ｆ）正面側斜視図にて示したものである。口金部材40は、略円筒状の筒状部41から、正面側に位置する正面部42（図５（Ａ））と、背面側に位置する一対の背面部44とが先端方向に突出した構造を有し（図５（Ｃ）、（Ｄ）、（Ｅ）、（Ｆ））、ステンレス鋼板を用いてプレス加工により形成したものである。正面部42は、外方に凸な弧状をなして、背面部44より長く先細に先端方向へ延び（図５（Ｂ））、その先端は弧状凹部43となっており（図５（Ｄ）、（Ｅ））この部分で芯パイプ23の正面側を保持する（図１，図２、図３参照）。一方、背面部44は、対をなして先細に先端方向へ延び（図５（Ｃ））、後述の図７に示すように、その先端で前方部32の凹曲面33を支持する。
【００３７】
図６は、芯パイプ23を、（Ａ）正面図、（Ｂ）右側面図、（Ｃ）背面図、（Ｄ）底面図、（Ｅ）平面図及び（Ｆ）背面側斜視図にて示したものである。芯パイプ23は前述したようにステンレス鋼製のパイプ状部材として形成され（図６（Ａ）〜（Ｆ））、その先端背面側には斜めに削ぎ落とされた形状のカットオフ部24となっている（図６（Ｂ）、（Ｃ）、（Ｄ）、（Ｅ）、（Ｆ））。
【００３８】
以上の各部材の構成を踏まえ、図７（Ａ）に示すように、筆圧がかかっていない状態では、芯パイプ23は軸心と一致した状態にある。シャープペンシルユニット20は、後端のノックボタン25の部分で軸筒11の内部と接触している。また、屈曲部材30の後方部31は、軸筒11のグリップ部12の後端付近に当たる位置で、軸筒11の内周面と接触して動かない状態となっている。一方、屈曲部材30の前方部32と、軸筒11の先端部分の内周面との間には、口金部材40が介装されている。口金部材40は、正面部42の先端で芯パイプ23を保持し、背面部44の先端で屈曲部材30の前方部32の凹曲面33を支持しているが、前方部32の略筒状の部分との間には間隙が存在している。
【００３９】
そして、斜め方向にシャープペンシル10を保持して筆記を行うと、図７（Ｂ）に示すように筆圧がかかっている状態となる。この状態では、芯15が突出している芯パイプ23の先端に正面方向（図面中では上方向）の力が加わり、これにより、口金部材40の正面部42を正面方向に押し曲げるようにして、芯パイプ23が屈曲部材30の前方部32とともに正面方向に移動する。このとき、連結部34は正面方向に撓んでいる。
【００４０】
しかし、シャープペンシルユニット20全体としては、ノックボタン25の付近が軸筒11に対する支点となり、後方部31の部分では内部空間37の形状に従って芯収容管21が正面方向へ移動し（図４（Ｅ）参照）、芯パイプ23の部分が最も大きく揺動することとなっている。換言すると、シャープペンシルユニット20は筆圧によっても全体が撓むことなく、ノックボタン25の付近を支点として芯パイプ23の部分が揺動することとなっている。
【００４１】
以上、筆圧がかかった状態では、連結部34が正面方向に撓むこと、芯収容管21が後方部31の内部空間37の形状に従って正面方向に移動すること、口金部材40の正面部42が芯パイプ23の正面方向を保持しているとともに一対の背面部44がそれぞれ左右方向への移動を阻止することによって、筆記先端が正面方向に移動することを誘導することとなっている。この際、連結部34の屈曲及び口金部材40の正面部42の変形によって、筆記先端が撓るような筆記感とサスペンション効果とがもたらされる。
【００４２】
なお、芯パイプ23の先端にカットオフ部24が設けられていることで、芯15の筆記面への接触面積が増え、太い描線での筆記や、面を塗るような描画も可能となる。さらに、芯15と筆記面との接触部分の直上に芯パイプ23が覆い被さるようになって芯を保持しているため、芯折れが生じにくくなっている。
【００４３】
この状態から、筆圧が解除されると、屈曲していた連結部34及び変形していた口金部材40の正面部42の変形がいずれも復元し、筆記先端が背面方向に押し戻され、図７（Ａ）に示す状態へ復帰することとなる。
【００４４】
なお、口金部材40の正面部42が外方に凸な弧状を有していることと、屈曲部材30のうち軸筒11から突出している前方部32の背面側が凹曲面33となっていることから、あたかも万年筆のように、自然にこの凹曲面33を下向きにしてシャープペンシル10を把持するように誘導することともなっている。
【産業上の利用可能性】
【００４５】
本発明は、シャープペンシルに利用可能である。
【符号の説明】
【００４６】
10  シャープペンシル      11  軸筒                  12  グリップ部
15  芯
20  シャープペンシルユニット
21  芯収容管              22  芯操出機構            23  芯パイプ
24  カットオフ部          25  ノックボタン
30  屈曲部材
31  後方部                32  前方部                33  凹曲面
34  連結部                35  先端開口              36  前方部の内部空間
37  後方部の内部空間
40  口金部材
41  筒状部                42  正面部                43  弧状凹部
44  背面部
【図１】
2019064178.tif 000003
【図２】
2019064178.tif 000004
【図３】
2019064178.tif 000005
【図４】
2019064178.tif 000006
【図５】
2019064178.tif 000007
【図６】
2019064178.tif 000008
【図７】
2019064178.tif 000009